(57)【要約】【課題】  電気式はかりにおいて、計量時の荷重の変化、温度変化による器内圧の変化及び外気圧の変化等に計量値が影響を受けない防水構造のはかりを提供すること。【解決手段】  計量時の荷重の変化、温度変化、気圧の変化に伴う器内圧力を調整するための器内圧力調整用ダイヤフラムを設けたこと。【選択図】          図１
2006071391.tif 000002
【特許請求の範囲】
【請求項１】
荷重センサーを本体ケース内に設け、前記荷重センサーの可動端に計量皿を備えると共に、該計量皿または計量皿の受け部材と前記本体ケースとの間にダイヤフラムを設けた防水式電子秤において、前記ダイヤフラムとは別途にケース内圧力とケース外圧力の差圧を調整するため、前記ダイヤフラムとはバネ定数の異なる圧力調整用ダイヤフラムをさらに設けたことを特徴とする防水式電子秤。
【請求項２】
荷重センサーを本体ケース内に設け、前記荷重センサーの可動端に計量皿を備えると共に、該計量皿または計量皿の受け部材と前記本体ケースとの間にダイヤフラムを設けた防水式電子秤において、前記ダイヤフラムとは別途にケース内圧力とケース外圧力の差圧を調整するため、前記ダイヤフラムとはバネ定数の異なる圧力調整用ベローズ式ポンプをさらに設けたことを特徴とする防水式電子秤。
【請求項３】
請求項１に記載の防水式電子秤において、前記圧力調整用ダイヤフラムを前記本体ケースの下部に設けたことを特徴とする防水式電子秤。
【請求項４】
請求項２に記載の防水式電子秤において、前記圧力調整用ベローズ式ポンプを前記本体ケースの側面に設けたことを特徴とする防水式電子秤。
【請求項５】
請求項１に記載の防水式電子秤において、前記圧力調整用ダイヤフラムに保護カバーを設けたことを特徴とする防水式電子秤。
【請求項６】
請求項２に記載の防水式電子秤において、前記圧力調整用ベローズ式ポンプに保護カバーを設けたことを特徴とする防水式電子秤。
【発明の詳細な説明】
【技術分野】
【０００１】
本発明は防水型の電子はかりにおいて、秤の器内を完全密閉することにより生じる内圧変化の課題を解決するための防水構造に関する。
【背景技術】
【０００２】
近年、食品業界などでは衛生管理が徹底されてきており、食品工場で用いられる製造機器はもとより検査機器に至っても衛生的配慮が必要である。
計量に用いられる電気式はかりについても、計量時に直接食品が接触するため、始業後の洗浄を十分に行う必要がある。
【０００３】
従来より秤の防水構造については種々の技術が紹介されている。例えば非特許文献１には撓みが生ずる部分にベローズを設けて荷重による撓みの変化に対して器内圧を一定にする方法や、器内圧の変化を一定に保つ目的で空気抜き穴を設けたものがある。しかし空気抜き穴等を設けると完全な防水構造とは成らず、例えば水中に沈めても水が入らない構造（例えばＩＰ６７）をクリアーできない。因みに、直接秤に水を掛けて洗浄しても水が入らない構造は例えばＩＰ６５である。また防水秤として電子回路基板等が湿気にさらされにくい構造の閉塞技術として特許文献２がある。
【０００４】
そこで秤の器内を密閉構造にした場合、計量、温度変化、気圧変化により、器内の内圧が検出器に直接負荷を与え正確な計量ができない、例えば、被計量物を計量皿に載せた時のロードセルのたわみ分やスイッチ操作による体積変化により器内の内圧が上がる。また、低温から高温に温度が変化した場合や大気圧が初期状態（組立時）より低くなると、器内の内圧があがる。これらの要因により検出器を浮き上がらせる方向に負荷が掛かり、完全密閉した構造においては、正確な計量が困難である。
【０００５】
【非特許文献１】実開平２−５０３９号公報
【０００６】
【特許文献１】特開２００３−３２２５５６号公報
【発明の開示】
【発明が解決しようとする課題】
【０００７】
しかし、これらの従来技術では水中に浸けて洗浄すると空気抜き穴から器内へ水が浸入して秤が故障し、容器類のように水中に浸けて洗浄することができず十分な洗浄ができないという課題があった。
【０００８】
空気抜き穴をなくし完全密閉した場合、計量時のたわみによる器内の圧力変化、外気温度の変化による圧力変化、更には大気圧の変化に基づく器内の圧力変化に追随することができなくなり、正確な計量ができなくなると言う問題があった。
【０００９】
また、防水性を高めるため空気抜き穴の面積を小さくすると、秤の応答性が低下するという課題もあった。
【課題を解決するための手段】
【００１０】
請求項１における発明は、荷重センサーを本体ケース内に設け、前記荷重センサーの可動端に計量皿を備えると共に、該計量皿または計量皿の受け部材と前記本体ケースとの間にダイヤアフラムを設けた防水式電子秤において、前記ダイヤフラムとは別途にケース内圧力とケース外圧力の差圧を調整するため、前記ダイヤフラムとはバネ定数の異なる圧力調整用ダイヤフラムをさらに設けたことを特徴としている。
【００１１】
請求項２における発明は、荷重センサーを本体ケース内に設け、前記荷重センサーの可動端に計量皿を備えると共に、該計量皿または計量皿の受け部材と前記本体ケースとの間にダイヤアフラムを設けた防水式電子秤において、前記ダイヤフラムとは別途にケース内圧力とケース外圧力の差圧を調整するため、前記ダイヤフラムとはバネ定数の異なる圧力調整用ベローズ式ポンプをさらに設けたことを特徴としている。
【００１２】
そして請求項３においては、前記圧力調整用ダイヤフラムを前記本体ケースの下部に設けたことを特徴としている。
【００１３】
請求項４においては、前記圧力調整用ベローズ式ポンプを前記本体ケースの側面に設けたことを特徴とする請求項２に記載の防水式電子秤としている。
【００１４】
請求項５の発明は、請求項１に記載の防水式電子秤であって、前記圧力調整用ダイヤフラムに保護カバーを設けたことを特徴としている。
【００１５】
請求項６の発明は、請求項２に記載の防水式電子秤であって、前記圧力調整用ベローズ式ポンプに保護カバーを設けたことを特徴としたものである。
【発明の効果】
【００１６】
以上のように本発明によれば、器内を完全に密閉してもロードセルのたわみによる器内の圧力変化や外気の温度変化による器内の圧力変化、更には大気圧変化と器内圧力との差圧を自動的に調整することが可能になり、正確な計量が可能になる。
【００１７】
また秤を水中に浸けて洗浄することが可能になり、洗浄性の向上と衛生面の向上を図ることができるという効果がある。
【発明を実施するための最良の形態】
【００１８】
本発明の実施の形態について貼付図面に基づき説明する。図１は第１の実施例を示す図であって、１は器内圧力調整用ダイヤフラムであり、この部材が計量によるロードセルのたわみやスイッチの操作による器内の圧力変化を瞬時に調整し、応答性の高い正確な計量を可能にする。この器内圧力調整用ダイヤフラムは２のダイヤフラムと比べて遙かにバネ定数の小さいものが好ましい、３の内カバーと４の皿受Ｂの間に取り付けられており、計量による可動部分の密閉を可能にしかつダイヤフラムが下向きに取り付けられ、衛生面の対策が取られている。６はロードセルを示し、本構造においてはロードセル自体の高い耐水性は不要となる。なお、器内圧力調整用ダイヤフラムの上下には急激な内圧変化による器内圧力調整用ダイヤフラムの変形及び外部からの突起物による破損等を防止するため、７は上側器内圧力調整用ダイヤフラム保護カバー、８は下側器内圧力調整用ダイヤフラム保護カバーが設けられている。９の外カバーは例えばステンレス製であってもよい、全周において１０の端部は内巻きのカール形状の加工が施され、そのカール形状がベースに一体成型された１１の爪に引っかかる構造であり、ワンタッチで外カバーが脱着できる。
【００１９】
図２は第の実施例を示す図である。図２において２１は器内圧力調整用ベローズ付きポンプであり、第１の実施例で述べた器内圧力調整用ダイヤフラム１に比べ、調整できる容量が多いことが特長である。ベローズ付きポンプはダイヤフラム式に比べ部材自体の抵抗が増加するため、低精度かつ感量（目量）の大きい秤に適用できる構造である。なお、器内圧力調整用ベローズ付きポンプ２１は外カバー９の内面に設けられ、外部要因による変形、破損を防止するように取り付けられている。
【００２０】
第３の実施例を図３に示す、１は器内圧力調整用ダイヤフラムである。第１の実施例と同様、上下には急激な内圧変化による器内圧力調整用フラムの変形及び外部からの突起物による破損等を防止するため、７および８の器内圧力調整用ダイヤフラム保護カバーが設けられている。２はダイヤフラムであり６のロードセル取付板１４とベース３０間に取り付けられ、計量による可動部分の密閉構造が取られている。
【００２１】
図４は第４の実施例について示すもので、第１の実施例と同様に６１は器内圧力調整用ダイヤフラムであり、６２はダイヤフラムである。器内圧力調整用ダイヤフラム６１とダイヤフラム６２が一体化しており、部品点数の削減を図ることができる。６１の器内圧力調整用ダイヤフラムついては上下には急激な内圧変化による器内圧力調整用ダイヤフラムの変形及び外部からの突起物による破損等を防止するため、７および８の器内圧力調整用ダイヤフラム保護カバーが設けられている。６１のダイヤフラム部分は１２の載台カバー６４と６５のベース間に取り付けられ、計量による可動部分の密閉構造が取られている。
また、第３のダイヤフラムは上向きの取り付けのためダイヤフラム部分に水が溜まったり被計量物の残滓による雑菌の繁殖が考えられるが、第３においてはダイヤフラムが下向きに取り付けられ、衛生面の対策が取られている。
【図面の簡単な説明】
【００２２】
【図１】（Ａ）は本発明の第１実施例における、防水式電子秤の器内圧力調整用ダイヤフラム取り付け構造を示す縦断面図である。(Ｂ)は本発明の第１実施例における、防水式電子秤の器内圧力調整用ダイヤフラム取り付け構造を示す横断面図である。
【図２】本発明の第２実施例を示す防水式電子秤の器内圧力調整用ポンプ取り付け構造図である。
【図３】本発明の第３実施例を示す防水式電子秤の器内圧力調整用ダイヤフラム取り付け構造図である
【図４】本発明の第４実施例を示す防水式電子秤の器内圧力調整用ダイヤフラム付きダイヤフラム取り付け構造図ある。
【符号の説明】
【００２３】
１  器内圧力調整用フラム
２  ダイヤフラム
３  内カバー
４  皿受Ｂ
６  ロードセル
７  上側器内圧力調整用ダイヤフラム保護カバー
８  下側器内圧力調整用ダイヤフラム保護カバー
９  外カバー
１０  外カバー内巻きカール
１１  外カバー固定用爪
１２  載せ皿
１３  皿受Ａ
１４  ロードセル取付板
３０  ベース
６１  器内圧力調整用ダイヤフラム付きダイヤフラム（器内圧力調整用フラム部）
６２  器内圧力調整用フラム付きダイヤフラム（ダイヤフラム部）
６４  載台カバー
６５  ベース
【図１】
2006071391.tif 000003
【図２】
2006071391.tif 000004
【図３】
2006071391.tif 000005
【図４】
2006071391.tif 000006